(57)【要約】【課題】利用者が専門的なカウンセリングを受けることなく、端末装置を操作するだけで、生活習慣の改善を支援できる生活習慣改善支援方法を提供することを課題とする。【解決手段】利用者は個人情報としてサーバ３に入力し、サーバ３は入力された個人情報に基づいて行動項目を選択する。利用者はサーバ３が選択した行動項目の中から、少しの努力でできると判定した行動項目をさらに選択してサーバ３に登録する。サーバ３は行動項目の実行時間を電子メールで利用者に通知するなどの支援を実行し、利用者は、行動項目の実行の状況や生活習慣が改善された状態をサーバ３に入力して管理する。【選択図】図１
2008310410.tif 000002
【特許請求の範囲】
【請求項１】
生活習慣を改善するのに有効な行動の項目が、１つ以上登録されているサーバと、
前記サーバとネットワークを介して接続される、少なくとも１つの端末装置と、を含んで構成され、
利用者が前記端末装置を操作して、前記サーバに前記利用者個人の個人情報を登録することができる生活習慣改善支援システムであって、
前記サーバは、
前記利用者が登録する、前記利用者個人の個人情報に基づいて、前記行動の項目のなかから、前記利用者の生活習慣を改善するのに有効な行動の項目を選択する選択手段と、
前記選択手段が選択した前記行動の項目のなかで、前記利用者が努力次第で実行できると登録した行動の項目に基づいて、前記利用者専用の生活習慣改善支援メニューを作成するメニュー作成手段とを有することを特徴とする生活習慣改善支援システム。
【請求項２】
生活習慣を改善するのに有効な行動の項目が、１つ以上登録されているサーバと、
前記サーバとネットワークを介して接続される、少なくとも１つの端末装置と、を含んで構成され、
前記サーバは、
前記利用者が登録する、前記利用者個人の個人情報に基づいて、前記行動の項目のなかから、前記利用者の生活習慣を改善するのに有効な行動の項目を選択する選択手段と、
前記選択手段が選択した前記行動の項目のなかで、前記利用者が努力次第で実行できると登録した行動の項目に基づいて、前記利用者専用の生活習慣改善支援メニューを作成するメニュー作成手段とを有するシステムを使用する生活習慣改善支援方法であって、
利用者が前記端末装置の操作によって、前記利用者個人の個人情報を前記サーバに登録したときに、前記利用者個人の個人情報に基づいて、前記利用者の生活習慣を改善するのに有効な行動の項目を、前記選択手段が選択するステップと、
前記選択手段が選択した前記行動の項目のなかで、前記利用者が努力次第で実行できると登録した行動の項目からなる、前記利用者専用の生活習慣改善支援メニューを、前記メニュー作成手段が作成するステップと、を有することを特徴とする生活習慣改善支援方法。
【請求項３】
前記サーバは、
前記利用者のメールアドレスを登録するメールアドレス登録手段と、
前記メールアドレス登録手段によって登録された前記メールアドレスに電子メールを送信する電子メール送信手段と、
前記生活習慣改善支援メニューに含まれる前記行動の項目の実行を前記利用者が希望する時刻を登録する時刻登録手段と、をさらに有し、
前記電子メール送信手段は、前記時刻登録手段によって登録された前記時刻になったとき、前記メールアドレス登録手段によって登録された前記メールアドレスに、前記行動の項目の実行を促進する内容が含まれる前記電子メールを送信するステップをさらに備えたことを特徴とする請求項２に記載の生活習慣改善支援方法。
【発明の詳細な説明】
【技術分野】
【０００１】
本発明は、生活習慣の改善を支援する生活習慣改善支援システムおよび生活習慣改善支援方法に関する。
【背景技術】
【０００２】
例えば、快適な睡眠をとれず、自分の睡眠に不満を持っている人が多くなっているが、その多くは、病的原因による「睡眠障害者」ではなく、間違った睡眠習慣や睡眠環境など、生活習慣の乱れによる睡眠の質の低下である。したがって、直ちに専門的な治療を施す必要は少なく、生活習慣や睡眠習慣を改善することで睡眠の満足度を高めることができる場合がある。
【０００３】
「良質な睡眠」か否かの判定については、例えば特許文献１に、利用者に３次元の加速度センサを備え、睡眠中の動きから体勢の変化や無呼吸睡眠を検出して、「良質な睡眠」か否かを判定する技術が開示されている。
また、例えば特許文献２に、利用者の睡眠中の呼吸ガス流量などから睡眠中の生理的状態を把握する技術が開示されている。
さらに、例えば特許文献３には、利用者が入力する睡眠に関する情報に基づいて、睡眠を改善するための対応方法を提案する技術が開示されている。
【特許文献１】特許３８０９８４７号公報
【特許文献２】特表２００６−５２０２２７号公報
【特許文献３】特開２００３−２１６７３４号公報
【発明の開示】
【発明が解決しようとする課題】
【０００４】
しかしながら、特許文献１および特許文献２に開示された技術は、睡眠中の状態を把握して利用者に通知するだけであり、利用者はカウンセラーなど専門の機関に相談する必要があるなど、煩わしいという問題がある。
また、特許文献３に開示された技術は、利用者の睡眠状態に基づいて、睡眠の状態を改善するための具体的な対応方法を提示するものではあるが、単に対応方法を示すだけであって、その対応方法が利用者にとって実行困難か否かまで管理するものではなく、実行困難な対応方法の提示によって利用者の実行意欲を喪失する場合があるという問題がある。
【０００５】
そこで本発明は、利用者が、サーバとネットワークを介して接続される端末装置を操作するだけで、生活習慣の改善を支援することができるとともに、利用者が自己管理を好適に行うことができる生活習慣改善支援システムおよび生活習慣改善支援方法を提供することを課題とする。
【課題を解決するための手段】
【０００６】
前記課題を解決するため、請求項１にかかる発明は、生活習慣を改善するのに有効な行動の項目が、１つ以上登録されているサーバと、前記サーバとネットワークを介して接続される、少なくとも１つの端末装置と、を含んで構成され、利用者が前記端末装置を操作して、前記利用者個人の個人情報を前記サーバに情報を登録することができる生活習慣改善支援システムとした。そして、前記サーバは、前記利用者が登録する、前記利用者個人の個人情報に基づいて、前記行動の項目のなかから、前記利用者の生活習慣を改善するのに有効な行動の項目を選択する選択手段と、前記選択手段が選択した前記行動の項目のなかで、前記利用者が努力次第で実行できると登録した行動の項目に基づいて、前記利用者専用の生活習慣改善支援メニューを作成するメニュー作成手段とを有することを特徴とした。
【０００７】
請求項１にかかる発明によると、生活習慣を改善するのに有効な行動の項目を登録したサーバが、利用者の個人情報に基づいて行動の項目を選択するとともに、選択された行動の項目のなかで、利用者が努力次第で実行できる行動の項目に基づいた生活習慣改善支援メニューを作成する生活習慣改善支援システムによって、利用者は自己管理を好適に行うことができる。
【０００８】
また、請求項２にかかる発明は、生活習慣を改善するのに有効な行動の項目が、１つ以上登録されているサーバと、前記サーバとネットワークを介して接続される、少なくとも１つの端末装置と、を含んで構成され、前記サーバは、前記利用者が登録する、前記利用者個人の個人情報に基づいて、前記行動の項目のなかから、前記利用者の生活習慣を改善するのに有効な行動の項目を選択する選択手段と、前記選択手段が選択した前記行動の項目のなかで、前記利用者が努力次第で実行できると登録した行動の項目に基づいて、前記利用者専用の生活習慣改善支援メニューを作成するメニュー作成手段とを有するシステムを使用する生活習慣改善支援方法とした。そして、利用者が前記端末装置の操作によって、前記利用者個人の個人情報を前記サーバに登録したときに、前記利用者個人の個人情報に基づいて、前記利用者の生活習慣を改善するのに有効な行動の項目を、前記選択手段が選択するステップと、前記選択手段が選択した前記行動の項目のなかで、前記利用者が努力次第で実行できると登録した行動の項目からなる、前記利用者専用の生活習慣改善支援メニューを、前記メニュー作成手段が作成するステップと、を有することを特徴とした。
【０００９】
請求項２にかかる発明によると、生活習慣を改善するのに有効な複数の行動の項目を登録したサーバが、利用者の個人情報に基づいて行動の項目を選択するステップと、選択された行動の項目のなかで、利用者が努力次第で実行できるとした行動の項目からなる生活習慣改善支援メニューを作成するステップを有する生活習慣改善支援方法によって、利用者は自己管理を好適に行うことができる。
【００１０】
また、請求項３にかかる発明は、前記サーバは、前記利用者のメールアドレスを登録するメールアドレス登録手段と、前記メールアドレス登録手段によって登録された前記メールアドレスに電子メールを送信する電子メール送信手段と、前記生活習慣改善支援メニューに含まれる前記行動の項目の実行を前記利用者が希望する時刻を登録する時刻登録手段と、をさらに有する。そして、前記電子メール送信手段は、前記時刻登録手段によって登録された前記時刻になったとき、前記メールアドレス登録手段によって登録された前記メールアドレスに、前記行動の項目の実行を促進する内容が含まれる前記電子メールを送信するステップをさらに備えたことを特徴とした。
【００１１】
請求項３にかかる発明によると、生活習慣改善支援メニューの行動の項目を実行する時刻に、サーバが利用者に電子メールを送信して、行動の項目の実行を促進することで、生活習慣改善を支援することができる。
【発明の効果】
【００１２】
本発明によれば、利用者が、サーバとネットワークを介して接続される端末装置を操作するだけで、生活習慣の改善を支援することができるとともに、利用者が自己管理を好適に行うことができる生活習慣改善支援システムおよび生活習慣改善支援方法を提供することができる。
【発明を実施するための最良の形態】
【００１３】
以下、本発明を実施するための最良の形態について、適宜図を用いて詳細に説明する。なお、本実施形態においては、生活習慣改善支援システムおよび生活習慣改善支援方法を、睡眠の改善を支援する睡眠改善支援システムおよび睡眠改善支援方法に適用し、睡眠の満足度を高めることを目的とした例を示す。
【００１４】
図１は、本実施形態にかかる睡眠改善支援方法を実現するための睡眠改善支援システムの例を示す図である。
図１に示すように、本実施形態にかかる睡眠改善支援システムは、複数の端末装置１、１、・・・がインターネット４（ネットワーク）を介して、サーバ３と接続されて構成される。なお、端末装置１は、パーソナルコンピュータ等の固定端末１ａであってもよいし、携帯電話、ＰＤＡ（Personal Digital Assistant）等の携帯端末１ｂであってもよい。
【００１５】
図２はサーバの構成を示すブロック図である。図２に示すように、サーバ３は、ＣＰＵ（Central Processing Unit）３０１、ＲＡＭ（Random Access Memory）３０２、ＲＯＭ（Read Only Memory）３０３、などを備えるコンピュータおよび周辺回路などからなり、ＣＰＵ３０１が、あらかじめ組み込まれて例えばＲＯＭ３０３に記憶されているプログラムにしたがって駆動する。また、サーバ３は入出力部３０５を備えてインターネット４と接続され、インターネット４に接続される端末装置１（図１参照）との間でデータを送受信する。
なお、サーバ３は、例えばＷＥＢサーバであって、情報やデータをＨＴＭＬ（HyperText Markup Language）文書や画像などで蓄積してホームページを構築し、ＨＴＴＰ（HyperText Transfer Protocol）で送出する構成とすればよい。この場合、端末装置１は、自身にインストールされるＷＥＢブラウザ等のソフトウェアによって、サーバ３が送出する情報をホームページとして表示することができる。
【００１６】
また、サーバ３は端末装置１に電子メールを送信するためのメールサーバとしての機能も有する。すなわち、サーバ３はＳＭＴＰ（Simple Mail Transfer Protocol）を備え、利用者が登録するメールアドレスに対して、必要な事項を記載した電子メールを送信する機能を備える。これによって、サーバ３は請求項に記載の電子メール送信手段を有することになる。
【００１７】
さらに、サーバ３には記憶装置３０４が備わり、本実施形態にかかる睡眠改善支援方法に使用される生活改善行動一覧３０４ａ、睡眠環境改善行動一覧３０４ｂ、心理的要因改善行動一覧３０４ｃが記憶される。
【００１８】
生活改善行動一覧３０４ａは利用者が快眠を得るべく生活習慣を改善するために、日常生活で実行すべき行動項目を、例えば実行すべき時間帯ごとにテーブルデータ化したものである。ここで、行動項目とは、利用者の日常生活における行動の内容であり、請求項に記載の生活習慣を改善するのに有効な行動の項目である。
【００１９】
図３は、生活改善行動一覧のテーブルデータの一例を示す図である。図３に示すように、例えば１日を朝、昼、夕方、夜、就寝前および就寝時に分割して、それぞれの時間帯における行動項目を設定する。生活改善行動一覧３０４ａの行動項目は、例えば睡眠の科学的知見などに基づいて、睡眠に影響があると思われる行動を選択し、時間帯ごとに配分したものである。そして各行動項目は、時間帯によって付けられる符号と時間帯ごとの通し番号で管理する。例えば、図３に示すように、時間帯が「朝」の項目には符号「Ｍ」を付して１からの通し番号を付ける。また、時間帯が「就寝前」の項目には符号「Ｂ」を付して１からの通し番号を付ける。そして、例えば「起きる１０〜３０分前から部屋を少し明るくする」の項目は符号「Ｍ１」で管理し、「眠くなってから寝床に入る」の項目は符号「Ｂ３」で管理する。
なお、図３においては、説明の簡素化のため各時間帯の行動項目を３つとしたが、この数は限定されるものではない。
さらに、図３に示す生活改善行動一覧３０４ａの行動項目は、例えば、本実施形態にかかる睡眠改善方法を実施するシステムの管理者によって、追加および削除できる構成であってもよい。このような構成にすることで、システムの管理者は、例えば新たな科学的知見に基づいた行動項目を新たに追加することもできるし、有効性が確認できない行動項目を削除することもできる。
有効性は、例えば睡眠の満足度の向上度合いとして示すことができ、具体的には、後記する図８に示す「睡眠の満足度」６０１の点数が向上する度合いとして示される。
また、後記するように、本システムは、サーバ３（図１参照）が選択した行動項目を利用者が選択して実行することになるが、例えばどれだけの利用者が選択したかの選択頻度で示される選択率や、利用者が当該行動項目をどの程度継続できたかの継続性、選択した行動項目を実行した割合で示される達成度などについての統計処理を実施し、前記した有効性、選択率、継続性および達成度の高い行動項目については、「おすすめ度」が高い行動項目とするなどのように、行動項目にランク付けをしてもよい。そして、行動項目をランキング順に表示する表示画面（図示せず）を備えてもよい。さらに、「おすすめ度」が低い行動項目は削除するようにしてもよい。
【００２０】
図４は、睡眠環境改善行動一覧のテーブルデータの一例を示す図である。睡眠環境改善行動一覧３０４ｂは、利用者が快眠を得る睡眠環境を構成するように生活習慣を改善するための行動項目を、テーブルデータ化したものである。図４に示すように、例えば、通年、冬、夏の季節ごとに、睡眠環境改善行動一覧３０４ｂの行動項目を設定する。睡眠環境改善行動一覧３０４ｂの行動項目は、例えば睡眠の科学的知見などに基づいて、睡眠に影響を与えると思われる、季節ごとの環境設定を選択したものである。そして各行動項目は、季節毎に付けられる記号と通し番号で管理する。例えば、図４に示すように、季節が「通年」の項目には符号「Ｃ」を付して１からの通し番号を付ける。また、季節が「夏」の項目には符号「ＣＳ」を付して１からの通し番号を付ける。そして、例えば「エアコンの吹き出し口からの風が直接顔に当たらない」の項目は符号「Ｃ１」で管理し、「タイマーを使って、エアコンの使用は睡眠の前半だけにする」の項目は符号「ＣＳ２」で管理する。
なお、図４においては、説明の簡素化のため各季節の行動項目を３つとしたが、この数は限定されるものではない。
さらに、図４に示す睡眠環境改善行動一覧３０４ｂの行動項目は、例えば、本実施形態にかかる睡眠改善方法を実施するシステムの管理者によって、追加および削除できる構成であってもよい。このような構成にすることで、システムの管理者は、例えば新たな科学的知見に基づいた行動項目を新たに追加することもできるし、有効性が確認できない行動項目を削除することもできる。さらに、前記した生活改善行動一覧の場合と同様に「おすすめ度」を設定して、行動項目を「おすすめ度」のランキング順に表示する表示画面（図示せず）を備えてもよいし、「おすすめ度」が低い行動項目は削除するようにしてもよい。
【００２１】
図５は、心理的要因改善行動一覧のテーブルデータの一例を示す図である。心理的要因改善行動一覧３０４ｃは、利用者が快眠を得るべく生活習慣を改善するための心の持ち方や基本的な態度、考え方を行動項目としてテーブルデータ化したものである。図５に示すように、心理的要因改善行動一覧３０４ｃは、利用者が快眠を得るための心の持ち方や基本的な態度、考え方を行動項目として列挙してテーブルデータ化したものであり、例えば符号と通し番号で管理される。例えば、図５に示すように、心理的要因改善行動一覧３０４ｃには符号「Ｐ」を付して１からの通し番号を付ける。そして、例えば「早寝しようとがんばるのをやめる」の項目は符号「Ｐ２」で管理する。
なお、図５においては、説明の簡素化のため心理的要因改善行動一覧３０４ｃの行動項目を３つとしたが、この数は限定されるものではない。
さらに、図５に示す心理的要因改善行動一覧３０４ｃの行動項目は、例えば、本実施形態にかかる睡眠改善方法を実施するシステムの管理者によって、追加および削除できる構成であってもよい。このような構成にすることで、システムの管理者は、例えば新たな科学的知見にもとづいた行動項目を新たに追加することもできるし、有効性が確認できない行動項目を削除することもできる。さらに、生活改善行動一覧の場合と同様に「おすすめ度」を設定して、行動項目を「おすすめ度」のランキング順に表示する表示画面（図示せず）を備えてもよいし、「おすすめ度」が低い行動項目は削除するようにしてもよい。
【００２２】
前記のように、サーバ３（図１参照）はＷＥＢサーバとしてホームページの形態で、利用者の端末装置１（図１参照）に情報を表示する機能を有する。そして、サーバ３はホームページとして端末装置１に表示する画面として、個人詳細情報を入力する「個人詳細情報入力画面」、個人睡眠情報を入力する「個人睡眠情報入力画面」、行動項目の実行可能性をチェックする「チェック画面」、行動項目を選択する「目標設定画面」、利用者が選択した行動項目で構成されるマイスリープメニュー（生活習慣改善メニュー）を確認する「マイスリープメニュー確認画面」等を備える。
【００２３】
図６は、「個人詳細情報入力画面」の一例を示す図である。図６に示すように、個人詳細情報入力画面５は、例えばＧＵＩ（Graphical User Interface）で構成され、利用者は、個人詳細情報入力画面５を操作することで、サーバ３（図１参照）に情報を登録することができる。
個人詳細情報入力画面５には、サーバ３が付与する「ログインＩＤ」５０１と「パスワード」５０２、利用者が登録した「メールアドレス」５１２が表示されている。そして、テキストボックス５０３ａで入力される「ニックネーム」５０３、ラジオボックス５０４ａで選択される「性別」５０４、３つのテキストボックス５０５ａで入力される「生年月日」５０５、テキストボックス５０６ａで入力される「住所（お住まい）」５０６、プルダウンメニュー５０７ａで選択される「職業（お仕事）」５０７、テキストボックス５０８ａで入力される「身長」５０８、テキストボックス５０９ａで入力される「体重」５０９、プルダウンメニュー５１０ａで選択される「アルコール摂取量」５１０、プルダウンメニュー５１１ａで選択される「喫煙量」５１１、テキストボックス５１３ａで入力される「携帯メールアドレス」５１３、テキストボックス５１４ａで入力される「ブログ（ウェブログ）のＵＲＬ（Uniform Resource Locator）」５１４の各項目で構成される。
【００２４】
さらに、個人詳細情報入力画面５に入力した内容を修正するための「修正」ボタン５１５と、個人詳細情報入力画面５に入力した内容に基づいて次のステップに進めるための「次へ」ボタン５１６とを備える。
【００２５】
「携帯メールアドレス」５１３は、詳細は後記するが、指定時刻になったら、行動項目の実行を促進するようにサーバ３（図１参照）が発する電子メールを受信するためのアドレスである。サーバ３は、「携帯メールアドレス」５１３にメールアドレスが登録されているときには、電子メールを、「携帯メールアドレス」５１３に登録されたメールアドレスに送信する。なお、個人詳細情報入力画面５に、「携帯メールアドレス」５１３の欄を設けることで、サーバ３は請求項に記載のメールアドレス登録手段を有する。
【００２６】
「お仕事」５０７のプルダウンメニュー５０７ａに登録される職業は、限定されるものではなく、例えば「会社員」、「公務員」、「自営業」、「主婦」、「学生」など、であればよい。
「アルコール摂取量」５１０のプルダウンメニュー５１０ａに登録される摂取量は、限定されるものではなく、例えば「飲まない」、「１日一合未満」、「１日一合以上二合未満」などの項目であればよい。
「喫煙量」５１１のプルダウンメニュー５１１ａに登録される摂取量は、限定されるものではなく、例えば「吸わない」、「１日１０本未満」、「１日１０本以上２０本未満」などの項目であればよい。
【００２７】
図６に示される個人詳細情報入力画面５によって、利用者はテキストボックスにはキーボード等から必要な文字を入力し、プルダウンメニューはマウス等の操作によって項目を選択することで、個人詳細情報（個人情報）を入力し、サーバ３（図１参照）に登録する。図７は、個人詳細情報入力画面を利用した個人詳細情報入力のステップを示すフローチャートである。以下、図７を参照しながら、個人詳細情報入力のステップを説明する（以下、適宜図１〜図６参照）。
サーバ３が利用者の端末装置１に個人詳細情報入力画面５を表示すると（ステップＳ５０１）、利用者は前記のように、テキストボックスにはキーボード等から必要な文字を入力し、プルダウンメニューはマウス等の操作によって項目を選択することで、個人詳細情報を入力する。
【００２８】
そして、サーバ３は「修正」ボタン５１５がクリックされたら（ステップＳ５０２→Ｙｅｓ）、サーバ３は個人詳細情報入力画面５に入力された個人詳細情報を全てクリアして（ステップＳ５０３）、制御をステップＳ５０１に戻す。一方、「修正」ボタン５１５がクリックされず（ステップＳ５０２→Ｎｏ）、「次へ」ボタン５１６がクリックされたら（ステップＳ５０４→Ｙｅｓ）、サーバ３は、個人詳細情報が入力された個人詳細情報入力画面５を記憶装置３０４に記憶して（ステップＳ５０５）、個人詳細情報入力画面５を閉じる（ステップＳ５０６）。
【００２９】
なお、サーバ３はステップＳ５０４で「次へ」ボタン５１６がクリックされたときに、必要な入力項目が空欄であるなど、入力に不備がある場合に、例えば端末装置１に警告を表示する構成であってもよい。
【００３０】
以上のように、サーバ３はステップＳ５０１からステップＳ５０６のステップによって、端末装置１に表示される個人詳細情報入力画面５から、利用者の個人詳細情報を入力されることができる。
【００３１】
図８は、個人睡眠情報を入力する個人睡眠情報入力画面を示す図である。図８に示すように、個人睡眠情報入力画面６は、例えばＧＵＩで構成され、あらかじめ設定してある各質問に対する回答を利用者が入力する形態とする。質問の項目は限定するものではなく、例えば、「あなたの睡眠の満足度は何点くらいですか？（睡眠の満足度）」６０１、「具体的にどのような不満をお持ちでしょうか？（具体的な不満）」６０５、「気になることはありますか？（気になること）」６０６などの項目で構成される。
【００３２】
「睡眠の満足度」６０１は、「寝つきの満足度」、「睡眠中の満足度」、「目覚めの気分」、「日中のスッキリ度」の各項目を１００点満点で自己採点する項目であって、例えばプルダウンメニュー６０１ａで各項目の点数を選択する。プルダウンメニュー６０１ａには０点から１００点まで、例えば１０点間隔で点数が登録され、利用者はマウス等の操作で点数を選択する。
なお、図８では、「睡眠の満足度」６０１として４つの例を示したが、これは限定されるものではなく、「お肌の状態」、「体の健康度」、「心の健康度」、「便通の状態」、「ストレス対処力」などの項目があってもよい。
また、図示はしないが、体重、体脂肪率、ＢＭＩなどに関しての数値目標を入力する欄を設けて、達成率を評価する構成であってもよい。
【００３３】
「具体的な不満」６０５は、「寝つき」、「睡眠中」、「目覚め」、「昼」の各時間帯において利用者が感じる不満を選択する。各時間帯には例えば図示するような不満の項目が列挙され、チェックボックス６０５ａなどによって利用者は該当する項目を１つ又は２つ以上選択することができる。
【００３４】
「気になること」６０６は、「体調」、「睡眠環境」、「生活習慣」の各項目において利用者が感じる、気になることを選択する。各項目には例えば図示するような項目が列挙され、チェックボックス６０６ａなどによって利用者は該当する内容を複数選択することができる。
【００３５】
さらに、個人睡眠情報入力画面６に入力した内容を修正するための「修正」ボタン６０２と、個人睡眠情報入力画面６に入力した内容に基づいて次のステップに進めるための「次へ」ボタン６０３とを備える。
そして、図８に示される個人睡眠情報入力画面６で、利用者はマウス等の操作によって、「睡眠の満足度」６０１の各項目の点数をプルダウンメニュー６０１ａから選択したり、該当する項目のチェックボックス６０５ａ、６０６ａにチェックを付けたりすることで、個人睡眠情報を個人情報として入力し、サーバ３（図１参照）に登録する。
【００３６】
図９は、個人睡眠情報入力画面を利用した個人睡眠情報入力のステップを示すフローチャートである。以下、図９を参照しながら、個人睡眠情報入力画面を利用した個人睡眠情報入力のステップを説明する（以下、適宜図１〜図８参照）。
サーバ３が、個人睡眠情報入力画面６を利用者の端末装置１に表示すると（ステップＳ６０１）、利用者は前記のように、マウス等の操作によって、「睡眠の満足度」６０１の各項目の点数をプルダウンメニュー６０１ａから選択することで、個人睡眠情報を入力する。
【００３７】
そして、サーバ３は「修正」ボタン６０２がクリックされたら（ステップＳ６０２→Ｙｅｓ）、サーバ３は個人睡眠情報入力画面６に入力された個人睡眠情報を全てクリアして（ステップＳ６０３）、制御をステップＳ６０１に戻す。一方、「修正」ボタン６０２がクリックされず（ステップＳ６０２→Ｎｏ）、「次へ」ボタン６０３がクリックされたら（ステップＳ６０４→Ｙｅｓ）、サーバ３は、個人睡眠情報が入力された個人睡眠情報入力画面６を記憶装置３０４に記憶して（ステップＳ６０５）、個人睡眠情報入力画面６を閉じる（ステップＳ６０６）。なお、利用者は、個人睡眠情報情報入力画面６が表示されているときに、例えばＷＥＢブラウザに備わる「戻る」ボタンの操作によって、個人詳細情報入力画面５（図６参照）に戻すことができる。
【００３８】
なお、サーバ３はステップＳ６０４で「次へ」ボタン６０３がクリックされたときに、必要な入力項目が空欄であるなど、入力に不備がある場合に、例えば端末装置１に警告を表示する構成であってもよい。
【００３９】
図１０は、チェック画面（生活スタイルチェックを入力する画面）の一例を示す図である。チェック画面７は、利用者の個人詳細情報と個人睡眠情報に基づいて、生活改善行動一覧３０４ａ（図３参照）、睡眠環境改善行動一覧３０４ｂ（図４参照）、心理的要因改善行動一覧３０４ｃ（図５参照）の行動項目から、サーバ３が選択した行動項目を集めて構成された画面である。このとき、サーバ３は利用者の睡眠を改善すべく生活習慣を改善するのに有効と判定した行動項目を選択する。なお、生活スタイルとは、行動項目の画面表示上の名称である。
【００４０】
ここで、サーバ３（図１参照）が行動項目を選択する方法について説明する。すなわち、サーバ３が、個人睡眠情報入力画面６（図８参照）で利用者が入力した、個人情報としての個人睡眠情報に基づいて、チェック画面７（図１０参照）を構成するロジックを説明する（適宜、図１〜図１０参照）。
【００４１】
例えば、個人睡眠情報入力画面６における「睡眠の満足度」６０１の「寝つきの満足度」が５０点以下のときは「（Ｄ２）１日に摂るカフェインの量を５００ｍｇ（コーヒー約５杯以内）に抑える」（図３参照）、「睡眠の満足度」６０１の「日中のスッキリ度」が４０点以下のときは「（Ｍ２）目が覚めた後、コップ１杯の水を飲む」（図３参照）、のように、利用者が設定する個人情報と行動項目とを予め対応させておく。
あるいは、例えば個人睡眠情報入力画面６の「具体的な不満」６０５における「ａ．遅くまで眠れない」という質問に対しては、生活改善行動一覧３０４ａの行動項目である「（Ｄ１）よく動いたり、頭を使ったりと積極的に活動する」、睡眠環境改善行動一覧３０４ｂの行動項目である「（Ｃ２）遮音カーテンなどで室外の音の侵入を防ぐ」・・・、を対応させるなどのように、個人睡眠情報入力画面６の各項目と行動項目とを予め対応させておく。
【００４２】
これは、個人睡眠情報の項目と行動項目の符号とを対応させて、テーブルデータ形式で、サーバ３の記憶装置３０４に予め記憶させておくことで実現できる。図１１は、テーブルデータの形式の一例を示す図である。図１１に示すように、テーブルデータ６０は、個人睡眠情報入力画面６を構成する項目を登録する「項目」６１と、各項目に対応する行動項目が格納される「行動項目一覧」６３からなる。また、「睡眠の満足度」６０１の「睡眠中の満足度」や「日中のスッキリ度」のように、利用者が点数をつける項目については、「点数」６２の欄を有し、点数に応じて行動項目が対応している。
【００４３】
そして、サーバ３は、テーブルデータ６０を参照して、個人睡眠情報入力画面６で利用者が入力した回答に基づいて、該当する項目に対応した行動項目を選択する。例えば、個人睡眠情報入力画面６で、利用者が「睡眠中の満足度」を「９０点」とした場合、サーバ３は、テーブルデータ６０の「項目」６１における「睡眠中の満足度」の欄において、「点数」６２が「９０点」に対応する「行動項目一覧」６３を参照する。そして、「行動項目一覧」６３に格納されている「Ｃ１」、「Ｂ３」、「Ｂ２」を行動項目として選択する。
また、個人睡眠情報入力画面６で、利用者が「ａ．遅くまで眠れない」を選択した場合は、サーバ３は、テーブルデータ６０の「項目」６１における「遅くまで眠れない」に対応する「行動項目一覧」６３を参照する。そして、「行動項目一覧」６３に格納されている「Ｄ１」、「Ｄ２」、「Ｎ３」、「Ｃ２」を行動項目として選択する。
【００４４】
このように、サーバ３は、個人睡眠情報入力画面６で利用者が選択した全ての項目に対応する行動項目を選択して、図１０に示す「チェック画面」７を構成する。このことから、サーバ３は、行動項目（行動の項目）を選択する選択手段を有する。
【００４５】
図１０に示すチェック画面７は、サーバ３（図１参照）が選択した行動項目を一覧表示した画面である。そして、利用者は、チェック画面７に基づいて、各行動項目ごとの実行可能性を入力する。すなわち、利用者は、各行動項目ごとに、「すでに実行している」（○）、「少しの努力で実行できる」（△）、「実行不可能」（×）、のどれか一つを入力することで一覧表示された行動項目の実行可能性を入力し、サーバ３は入力された実行可能性によって各行動項目を分類する。そして、「少しの努力で実行できる」（△）の項目を、請求項に記載の、努力次第で実行できる項目とする。なお、本実施形態においては、この行動項目の実行可能性の入力を、「生活スタイルチェック」ともいう。
【００４６】
図１０に示すように、チェック画面７はサーバ３（図１参照）が選択した行動項目が時間帯ごとに表示され、各行動項目について、例えばラジオボタン７０１ａなど択一的に選択できるＧＵＩを、マウスなどの入力装置で操作（クリック）することによって、「すでに実行している」（○）、「少しの努力で実行できる」（△）、「実行不可能」（×）の一つを選択できる画面構成とする。さらに、ＧＵＩで構成される、「修正」ボタン７０２および「次へ」ボタン７０３を備える。
【００４７】
図１２は、チェック画面を利用して、行動項目を利用者の実行可能性ごとに分類するステップを示すフローチャートである。図１２を参照しながら、サーバ３が生活改善行動一覧３０４ａ（図３参照）、睡眠環境改善行動一覧３０４ｂ（図４参照）、心理的要因改善行動一覧３０４ｃ（図５参照）から選択した行動項目を、利用者の実行可能性ごとに分類するステップを示す（以下、適宜図１〜図１０参照）。
サーバ３は、チェック画面７を利用者の端末装置１に表示すると（ステップＳ７０１）、利用者は前記のように、マウス等の操作によってラジオボタン７０１ａをクリックすることで、各行動項目の実行可能性を入力する。
【００４８】
そして、サーバ３は「修正」ボタン７０２がクリックされたら（ステップＳ７０２→Ｙｅｓ）、サーバ３はチェック画面７に入力された内容を全てクリアして（ステップＳ７０３）、制御をステップＳ７０１に戻す。一方、「修正」ボタン７０２がクリックされず（ステップＳ７０２→Ｎｏ）、「次へ」ボタン７０３がクリックされたら（ステップＳ７０４→Ｙｅｓ）、サーバ３は、各行動項目の実行可能性が入力されたチェック画面７を記憶装置３０４に記憶して（ステップＳ７０５）、チェック画面７を閉じる（ステップＳ７０６）。なお、利用者は、チェック画面７が表示されているときに、例えばＷＥＢブラウザに備わる「戻る」ボタンの操作によって、個人睡眠情報入力画面６（図８参照）に戻すことができる。
【００４９】
なお、サーバ３はステップＳ７０４で「次へ」ボタン７０３がクリックされたときに、必要な入力項目が空欄であるなど、入力に不備がある場合に、例えば端末装置１に警告を表示する構成であってもよい。
【００５０】
図１３は、生活チェック一覧を表示する画面（以下、目標設定画面と称する）の一例を示す図である。図１３に示すように、目標設定画面８は、生活改善行動一覧３０４ａ（図３参照）、睡眠環境改善行動一覧３０４ｂ（図４参照）、心理的要因改善行動一覧３０４ｃ（図５参照）の行動項目からサーバ３（図１参照）が選択し、利用者が、例えば図１０に示すチェック画面７で、「少しの努力で実行できる」（△）を選択した行動項目から構成される。
【００５１】
さらに、図１３に示すように、目標設定画面８は、１つ又は２つ以上の項目を選択できるＧＵＩであるチェックボックス８０１ａを備え、利用者がマウスでクリックするなどの操作をすることで、目標設定画面８に表示される１つ又は２つ以上の行動項目を選択できるようにする。なお、本実施形態においては、一例として生活チェック一覧から５つの行動項目を選択するようにしたが、選択する行動項目の数は５つに限定されるものではない。また、生活チェック一覧を表示する画面にはＧＵＩで構成される、「修正」ボタン８０２および「次へ」ボタン８０３を備える。
【００５２】
このとき、サーバ３（図１参照）は、選択されることが多い行動項目の順にランク付けする構成であってもよい。例えば、図１３に示す目標設定画面８に、「起床後に熱めのシャワー、入浴を短時間で行う」の行動項目が表示された場合に、利用者がこの行動項目を選択することが多いとき、サーバ３は、「起床後に熱めのシャワー、入浴を短時間で行う」の行動項目は、選択されることが多い行動項目としてランク付けする。
または、例えば事後のアンケートなどで、有効性が高いと回答の多い行動項目については、有効性の高い行動項目としてランク付けしてもよい。
そして、例えば図１０に示すチェック画面７を構成するとき、選択されることが多いとランク付けされた行動項目や、有効性が高いとランク付けされた行動項目を優先的に選択する構成としてもよい。
選択されることが多いとランク付けされた行動項目は、利用者が実行しやすい行動項目である場合が多いことから、チェック画面７によって、利用者は実行しやすい行動項目を優先的に選択することができ、その結果、利用者は睡眠改善が実行しやすくなる。
有効性の高い行動項目は、その実行によって睡眠改善の効果が現れやすい行動項目である場合が多いことから、利用者は効果的に睡眠改善を実行できる。
そして、図示はしないが、選択されることが多いとランク付けされた行動項目や、有効性が高いとランク付けされた行動項目をランキング表示する画面を備えてもよい。
【００５３】
また、図１３に示すように、目標設定画面８に「配信時刻」８１の項目を設け、例えばプルダウンメニュー８１１ａなどのＧＵＩで時刻を設定可能にしてもよい。このように配信時刻を設定することで、サーバ３（図１参照）は、選択された行動項目に設定された配信時刻になると、登録してあるメールアドレスに、該当する行動項目の実行を促進する電子メールを配信することができる。すなわち、サーバ３は、利用者が行動項目（行動の項目）を実行する時刻を登録する時刻登録手段を有する。
【００５４】
図１４は、目標設定画面を利用して行動項目から５つを選択するステップを示すフローチャートである。図１４を参照して、目標設定画面８を利用して、生活改善行動一覧３０４ａ、睡眠環境改善行動一覧３０４ｂ、心理的要因改善行動一覧３０４ｃから選択した行動項目から５つを選択するステップを示す（以下、適宜図１〜図１３参照）。
サーバ３が利用者の端末装置１に目標設定画面８を表示すると（ステップＳ８０１）、利用者は前記のように、目標設定画面８に表示される行動項目から５つを選択して、マウス等の操作によってチェックボックス８０１ａをクリックしてチェックマークを付け、チェックマークを付けた行動項目の配信時刻を設定する。
【００５５】
そして、サーバ３は「修正」ボタン８０２がクリックされたら（ステップＳ８０２→Ｙｅｓ）、サーバ３はチェックボックス８０１ａについているチェックマークを全てクリアして（ステップＳ８０３）、制御をステップＳ８０１に戻す。一方、「修正」ボタン８０２がクリックされず（ステップＳ８０２→Ｎｏ）、「次へ」ボタン８０３がクリックされたら（ステップＳ８０４→Ｙｅｓ）、サーバ３は、５つの行動項目のチェックボックス８０１ａにチェックマークが入力され、配信時刻が設定された目標設定画面８を記憶装置３０４に記憶して（ステップＳ８０５）、目標設定画面８を閉じる（ステップＳ８０６）。なお、利用者は、目標設定画面８が表示されているときに、例えばＷＥＢブラウザに備わる「戻る」ボタンの操作によって、チェック画面７（図１０参照）に戻すことができる。
【００５６】
なお、サーバ３はステップＳ８０４で「次へ」ボタン８０３がクリックされたときに、必要な数（本実施形態においては５つ）の行動項目が選択されていないなど、入力に不備がある場合に、例えば端末装置１に警告を表示する構成であってもよい。
【００５７】
図１５は、マイスリープメニュー確認画面の一例を示す図である。図１５に示すように、マイスリープメニュー確認画面９は、図１３に示す目標設定画面８から、利用者が選択した５つの行動項目と設定した配信時刻を表示したマイスリープメニュー９０１（生活習慣改善支援メニュー）を表示する画面である。そして、マイスリープメニュー９０１を修正するための「修正」ボタン９０２と、表示された内容でマイスリープメニュー９０１を登録する「登録」ボタン９０３とを備える。
また、本実施形態においては、図１３に示す目標設定画面８で「配信時刻」８１の設定をする構成としたが、マイスリープメニュー確認画面９に、図示しないプルダウンメニュー等を備え、「配信時刻」を設定する構成であってもよい。
利用者が「修正」ボタン９０２をクリックしたら、サーバ３（図１参照）は、例えば図６に示す個人詳細情報入力画面５を再表示する構成とすればよい。これにより、利用者は最初からマイスリープメニュー９０１を作成しなおすことができる。また、利用者は、例えばＷＥＢブラウザに備わる「戻る」ボタンの操作によって、目標設定画面８（図１３参照）に戻すことができる。または、「修正」ボタン９０２をクリックしたら、サーバ３は、図１３に示す目標設定画面８を再表示して、修正する構成としてもよい。
また、利用者が「登録」ボタン９０３をクリックしたら、サーバ３は、マイスリープメニュー確認画面９に表示されたマイスリープメニュー９０１を、記憶装置３０４（図２参照）に登録する。
【００５８】
なお、図１５に示すように、マイスリープメニュー９０１には設定された行動項目の実行を支援するのに有効と思われる商品を、例えば「ショッピングリスト」などの項目で表示し、利用者の目標の実行を支援する構成としてもよい。そして、「ショッピングリスト」に表示される商品を販売する店舗名や、当該店舗のデータ（所在地、電話番号、ホームページアドレス等）を表示する構成としてもよい。
または、「ショッピングリスト」に表示される商品名をマウスでクリックすると、サーバ３（図１参照）は、当該商品を購入可能なホームページを開く構成としてもよい。利用者は、ホームページによって当該商品を容易に購入でき、行動項目が実行しやすくなる。さらに、サーバ３は、利用者ごとの商品の購入履歴を管理する構成とすれば、利用者は必要に応じて商品の購入履歴を確認できる。
【００５９】
そして、これらの商品名や店舗名は、あらかじめ、行動項目と関連付けてサーバ３（図１参照）に登録しておけば、サーバ３は登録されたデータから選択して利用者の端末装置１（図１参照）に表示することができる。
【００６０】
以上のように、サーバ３（図１参照）はＷＥＢサーバとして、個人詳細情報入力画面５（図６参照）、個人睡眠情報入力画面６（図８参照）、チェック画面７（図１０参照）、目標設定画面８（図１３参照）、マイスリープメニュー確認画面９（図１５参照）を、端末装置１（図１参照）に表示する機能を有し、利用者の操作によってマイスリープメニュー９０１（図１５参照）を作成して、記憶装置３０４（図２参照）に登録する。そして、サーバ３は登録されたマイスリープメニュー９０１に基づいて、睡眠改善支援を実行する。
【００６１】
図１６は、端末装置の構成を示す図である。図１６に示すように、端末装置１は、ＣＰＵ１０１、ＲＡＭ１０２、ＲＯＭ１０３、記憶装置１０４などを備えるマイクロコンピュータおよび周辺回路などからなり、ＣＰＵ１０１が、あらかじめ組み込まれて例えばＲＯＭ１０３に記憶されているプログラムにしたがって駆動する。また、端末装置１は入出力部１０５を備え、外部の例えばインターネット４と接続され、図１に示すサーバ３との間でデータを送受信する。なお、入出力部１０５は、有線でインターネット４と接続される形態であってもよいし、無線でインターネット４と接続される形態であってもよい。
【００６２】
さらに、端末装置１は、インターフェース部１０６を備え、データ等を表示するモニタディスプレイなどの表示装置１０７と、データを入力するキーボードやマウスなどの入力装置１０８を接続する。なお、携帯端末１ｂ（図１参照）などのように、端末装置１と表示装置１０７と入力装置１０８とが一体に構成されてもよいことはいうまでもない。
【００６３】
以上のように構成されるシステムを使用して、本実施形態にかかる睡眠改善支援は実行される。
【００６４】
まず、睡眠改善支援を受けようとする利用者は、端末装置１（図１参照）からインターネット４（図１参照）を介してサーバ３（図１参照）が提供するホームページにアクセスして、ログインＩＤおよびパスワードを取得するのに必要な情報を入力する。利用者が入力する情報は、例えば氏名、年齢、住所、メールアドレスなどの項目が考えられる。そして、サーバ３は入力されたメールアドレスにログインＩＤとパスワードを送信する。なお、本実施形態においては、サーバ３がパスワードを設定して利用者に送信する構成としたが、これは限定されるものではなく、利用者がパスワードを設定してサーバ３に送信する構成であってもよい。
【００６５】
このように、ログインＩＤとパスワードを付与された利用者は、例えばサーバ３（図１参照）が提供するホームページの所定の欄にログインＩＤとパスワードを入力することで、睡眠改善支援用のホームページ（以下、支援ページと称する）にログインすることができる。
【００６６】
図１７は、支援ページのトップページ（以下、支援トップページと称する）の一例を示す図である。図１７に示すように、支援トップページ１０は、ＧＵＩによる「マイスリープメニューを作成する」ボタン１００１、「マイデータを入力する」ボタン１００２および「マイデータを表示する」ボタン１００３を備える。
利用者が「マイスリープメニューを作成する」ボタン１００１をクリックすると、サーバ３（図１参照）は、個人詳細情報入力画面５（図６参照）を利用者の端末装置１（図１参照）に表示し、利用者が「マイデータを入力する」ボタン１００２をクリックすると、サーバ３は、後記する「マイデータ入力画面」１１（図１９参照）を利用者の端末装置１に表示する。また、利用者が「マイデータを表示する」ボタン１００３をクリックすると、サーバ３は、後記する「マイデータ表示画面」１２（図２０参照）を表示する
【００６７】
図１８は、利用者が支援ページにログインして、「マイスリープメニューを作成する」ボタンをクリックしてから、マイスリープメニューが作成されるまでのステップを示すフローチャートである。以下、図１８を参照しながら、利用者のマイスリープメニューが作成されるステップを説明する（以下、適宜図１〜図１７参照）。
【００６８】
サーバ３は、支援トップページ１０で、「マイスリープメニューを作成する」ボタン１００１がクリックされたら、図７に示すステップＳ５０１からステップＳ５０６を実行する（ステップＳ１０１）。
すなわち、図７のステップＳ５０１に示すように、個人詳細情報入力面５を利用者の端末装置１に表示する。そして、図７のステップＳ５０２からステップＳ５０６のステップにしたがって、個人詳細情報が入力される。
ここで、図７のステップＳ５０１で個人詳細情報入力画面５を表示するときに、個人詳細情報が入力された個人詳細情報入力画面５が記憶装置３０４に記憶されているときは、サーバ３は記憶されている個人詳細情報入力画面５を利用者の端末装置１に表示する。
このように、個人詳細情報が入力された個人詳細情報入力画面５を表示することで、利用者は支援ページに２回目以降にログインしたときに、個人詳細情報を修正することができる。
【００６９】
図７に示すステップＳ５０６によって個人詳細情報入力画面５を閉じたら、サーバ３は、図９に示すステップＳ６０１からステップＳ６０６を実行する（ステップＳ１０２）。
すなわち、図９のステップＳ６０１に示すように、個人睡眠情報入力画面６を利用者の端末装置１に表示する。そして、図９のステップＳ６０２からステップＳ６０６のステップにしたがって、個人睡眠情報が入力される。
ここで、図９のステップＳ６０１で個人睡眠情報入力画面６を表示するときに、個人睡眠情報が入力された個人睡眠情報入力画面６が記憶装置３０４に記憶されているときは、サーバ３は記憶されている個人睡眠情報入力画面６を利用者の端末装置１に表示する。
このように、個人睡眠情報が入力された個人睡眠情報入力画面６を表示することで、利用者は支援ページに２回目以降にログインしたときに、個人睡眠情報を修正することができる。
【００７０】
図９に示すステップＳ６０６によって個人睡眠情報入力画面６を閉じたら、サーバ３は、図１２に示すステップＳ７０１からステップＳ７０６を実行する（ステップＳ１０３）。
すなわち、図１２のステップＳ７０１に示すように、チェック画面７を利用者の端末装置１に表示する。そして、図１２のステップＳ７０２からステップＳ７０６のステップにしたがって、行動項目の実行可能性が入力される。
ここで、図１２のステップＳ７０１でチェック画面７を表示するときに、個人睡眠情報入力画面６で入力される個人睡眠情報が更新されていなければ、サーバ３は、記憶装置３０４に記憶されているチェック画面７を利用者の端末装置１に表示する。一方、個人睡眠情報が更新されたときは、サーバ３は更新された個人睡眠情報に基づいて、チェック画面７を再構成して表示する。
このように、個人睡眠情報が更新されないときに、記憶されているチェック画面７を表示することで、利用者は支援ページに２回目以降にログインしたときに、チェック画面７を修正することができる。
【００７１】
図１２に示すステップＳ７０６によってチェック画面７を閉じたら、サーバ３は、図１４に示すステップＳ８０１からステップＳ８０６を実行する（ステップＳ１０４）。
すなわち、図１４のステップＳ８０１に示すように、目標設定画面８を端末装置１に表示する。そして、図１４のステップＳ８０２からステップＳ８０６のステップにしたがって、行動項目が選択される。
ここで、図１４のステップＳ８０１で目標設定画面８を表示するときに、チェック画面７で入力される各項目の実行可能性が更新されていなければ、サーバ３は、記憶装置３０４に記憶されている目標設定画面８を利用者の端末装置１に表示する。一方、チェック画面７において実行可能性が更新されたときは、サーバ３は更新された実行可能性に基づいて、目標設定画面８を再構成して表示する。
このように、各項目の実行可能性が更新されないときに、記憶されている目標設定画面８を表示することで、利用者は支援ページに２回目以降にログインしたときに、目標設定画面８を修正することができる。
【００７２】
図１４に示すステップＳ８０６によって目標設定画面８を閉じたら、サーバ３は、目標設定画面８で選択した項目に基づいてマイスリープメニュー９０１を構成し、マイスリープメニュー確認画面９を利用者の端末装置１に表示する（ステップＳ１０５）。
マイスリープメニュー確認画面９で「修正」ボタン９０２がクリックされたら（ステップＳ１０６→Ｙｅｓ）、サーバ３は制御をステップＳ１０１に戻す。一方、「修正」ボタン９０２がクリックされず（ステップＳ１０６→Ｎｏ）、「登録」ボタン９０３がクリックされたら（ステップＳ１０７→Ｙｅｓ）、サーバ３はマイスリープメニュー確認画面９に表示されたマイスリープメニュー９０１を記憶装置３０４に記憶して登録する（ステップＳ１０８）。このように、サーバ３はマイスリープメニュー９０１を作成できることから、請求項に記載のメニュー作成手段を有する。
【００７３】
以上のように、サーバ３（図１参照）はステップＳ１０１からステップＳ１０８のステップを実行することで、各利用者ごとのマイスリープメニュー９０１（図１５参照）を構成することができる。
そして、サーバ３は、構成したマイスリープメニュー９０１に基づいて利用者の睡眠改善支援を実行する。
【００７４】
サーバ３（図１参照）は、図１３に示す目標設定画面８で、利用者が選択した行動項目に設定される配信時刻になったら、該当する行動項目の実行を促進する内容が記載された電子メールを利用者の端末装置１（図１参照）に送信する。例えば、図１５に示すように、「起床後に熱めのシャワー、入浴を短時間で行う」の行動項目に、配信時刻として「７：００」が設定される場合、サーバ３は、毎朝７：００に、「入浴の時間です」等の内容が記載された電子メールを配信する。そのため、サーバ３には図示しない時計が備わる。
なお、利用者はサーバ３から配信される電子メールをすぐに確認するという観点から、携帯電話、ＰＤＡなど携帯端末１ｂ（図１参照）のメールアドレスを図６に示す個人詳細情報入力画面５の「携帯メールアドレス」５１３に入力し、電子メール配信先のメールアドレスとして登録することが好ましい。
【００７５】
また、サーバ３は、各利用者の睡眠状況やマイスリープメニューの達成度を１日単位で入力するマイデータ入力画面を有し、利用者の就寝時刻や起床時刻、行動項目の達成度の自己採点を入力することができる。図１９は、マイデータ入力画面の一例を示す図である。
【００７６】
マイデータ入力画面１１の構成は限定するものではないが、例えば図１９に示すように、「日付」１１０１を入力するプルダウンメニュー１１０１ａ、「昨夜の就寝時刻」１１０２を入力するプルダウンメニュー１１０２ａ、「今朝の起床時刻」１１０３を入力するプルダウンメニュー１１０３ａ、「寝つきの満足度」１１０４を入力するプルダウンメニュー１１０４ａ、「睡眠中の満足度」１１０５を入力するプルダウンメニュー１１０５ａ、「寝起きの気分」１１０６を入力するプルダウンメニュー１１０６ａ、「体重」１１０７を入力するテキストボックス１１０７ａ、「昼寝・仮眠の合計時間」１１０８を入力するテキストボックス１１０８ａ、「日中のスッキリ度」１１０９を入力するプルダウンメニュー１１０９ａ、「生活メモ」１１１０を入力するテキストボックス１１１０ａ、「目標の達成度」１１１１を入力するラジオボタン１１１１ａ、および「修正」ボタン１１１２、「登録」ボタン１１１３から構成される。
【００７７】
「日付」１１０１は、プルダウンメニュー１１０１ａで入力するデータの年月日を入力する。
「昨夜の就寝時刻」１１０２、「今朝の起床時刻」１１０３は、プルダウンメニュー１１０２ａ、１１０３ａでたとえば１５分間隔で就寝時刻と起床時刻を入力する。
「寝つきの満足度」１１０４、「睡眠中の満足度」１１０５、「寝起きの気分」１１０６は、それぞれの満足度を、例えばプルダウンメニュー１１０４ａ、１１０５ａ、１１０６ａで、１０点間隔の１００点満点で入力する。
「体重」１１０７は、体重をテキストボックス１１０７ａに入力する。
「昼寝・仮眠の合計時間」１１０８は、昼寝した時間と仮眠した時間の合計時間を、テキストボックス１１０８ａに入力する。
「日中のスッキリ度」は、利用者が感じるスッキリ度を、例えばプルダウンメニュー１１０９ａで、１０点間隔の１００点満点で入力する。
「生活メモ」１１１０は、テキストボックス１１１０ａに、利用者がメモしたい内容など、自由に記入する項目である。
「目標の達成度」１１１１は、マイスリープメニュー９０１（図１５参照）に設定された５つの目標の達成度を、例えば「○」、「△」、「×」の３段階で評価する項目で、利用者は例えばラジオボタン１１１１ａによって評価する。なお、本実施形態において、目標の達成度は３段階で評価する構成としたが、例えば１０点間隔の１００点満点で評価する構成であってもよい。
【００７８】
「修正」ボタン１１１２がクリックされると、サーバ３（図１参照）はマイデータ入力画面１１で、利用者が入力した項目を全てクリアして、「登録」ボタン１１１３がクリックされると、サーバ３は、データが入力されたマイデータ入力画面１１を、マイデータとして記憶装置３０４（図２参照）に記憶するとともに、マイデータ表示画面を利用者の端末装置１に表示する。
【００７９】
図２０は、マイデータ表示画面の一例を示す図である。図２０に示すように、マイデータ表示画面１２は、例えば当日から過去１週間に登録されたマイデータを表形式で表示する画面であって、「昨夜の就寝時刻」、「今朝の起床時刻」、「体重」などからなる「睡眠管理表」１２０１と、行動項目の実行達成度からなる「目標管理表」１２０２とを含んで構成される。
【００８０】
また、「睡眠管理表」１２０１には、「今週の平均」の欄があって、各項目の１週間の平均を表示する。また、「目標管理表」１２０２には、各項目の週単位の達成度を表示する「今週の達成度」の欄があって、各目標の１週間の達成度を表示する。なお、達成度は、例えば１週間の「○」の数の割合を達成度として表示すればよい。
【００８１】
そして、マイデータ表示画面１２にはＧＵＩで構成される「前の一週間」ボタン１２０３、「後の一週間」ボタン１２０４とが備わる。
「前の一週間」ボタン１２０４がクリックされると、サーバ３（図１参照）は、表示している１週間の直前の１週間のマイデータ表示画面１２を利用者の端末装置１（図１参照）に表示し、「後の一週間」ボタン１２０４がクリックされると、サーバ３は、表示している１週間の直後の１週間のマイデータ表示画面１２を利用者の端末装置１に表示する。
【００８２】
さらに、マイデータ表示画面１２には、「グラフ表示」ボタン１２０５を備えてもよい。サーバ３（図１参照）は、入力されたマイデータに基づいてグラフを作成する機能と、作成したグラフをグラフ表示する機能を備え、マイデータ表示画面１２に表示している期間の、就寝時刻、起床時刻、睡眠時間、昼寝・仮眠の合計時間、寝つきの満足度、睡眠の満足度、寝起きの気分、日中のスッキリ度、体重、ＢＭＩ、目標の達成度を、例えば図２１に示すグラフ画面１３にグラフ表示する。図２１は、マイデータのグラフを表示するグラフ画面を示す図である。
ここで、ＢＭＩ（Body Mass Index）は身長と体重の関係を示す指標であって、体重／（身長２）で表される。サーバ３は、個人詳細情報入力画面５（図６参照）で入力される身長と、マイデータ入力画面１１（図１９参照）で入力される体重とから、ＢＭＩを算出することができる。「グラフ表示」ボタン１２０５がクリックされたら、サーバ３（図１参照）は、グラフ画面１３を利用者の端末装置１（図１参照）に表示する。
【００８３】
図２１に示すように、入力されたマイデータをグラフ画面１３にグラフ表示することで、利用者は睡眠時間や体調の変化、目標の達成度の推移を、１週間単位で視覚的に捉えることができ、例えば、次の１週間は、達成度の低い目標の達成度を向上することに重点を置くなど、自己管理することができる。
なお、図２１においては、１つの画面に全ての項目のグラフを表示したが、各項目ごとにグラフを表示する形態であってもよい。
この場合、例えば「グラフ表示」ボタン１２０５がクリックされると、サーバ３（図１参照）は、利用者の端末装置１（図１参照）にグラフ選択画面を表示する。図２２は、グラフ選択画面の一例を示す図である。
【００８４】
図２２に示すように、グラフ選択画面１３０は、図２０に示すマイデータ表示画面１２を構成する各項目と、各項目に対応するように配置されるラジオボタン１３０ａとを含んで構成される。
そして、ラジオボタン１３０ａのうち、「今週の推移」は、マイデータ表示画面１２が表示する週における、選択した項目の成果の推移をグラフ表示する機能とし、「３週間の推移」は、マイデータ表示画面１２が表示する週から過去３週間の週（先週と先々週）の、各週における平均の推移をグラフ表示する機能とする。
なお、目標の達成率に関しては、「３週間の推移」のみグラフ表示できるものとする。
【００８５】
さらに、グラフ選択画面１３０には、「表示」ボタン１３０ｂと「中止」ボタン１３０ｃが備わっていて、「表示」ボタン１３０ｂがクリックされると、サーバ３（図１参照）は、ラジオボタン１３０ａによって選択された項目のグラフを利用者の端末装置１（図１参照）に表示する。
【００８６】
図２３の（ａ）は、１週間の睡眠時間の推移を示すグラフの例、（ｂ）は、睡眠中の満足度の３週間の推移を示すグラフの例、（ｃ）は、目標１の達成率の３週間の推移を示すグラフの例である。
例えば、利用者が「睡眠時間」の「今週の推移」を選択して、「表示」ボタン１３０ｂをクリックしたら、サーバ３（図１参照）は、図２３の（ａ）に示す、１週間の睡眠時間の推移を示すグラフを、利用者の端末装置１（図１参照）に表示する。また、「睡眠中の満足度」の「３週間の推移」を選択して、「表示」ボタン１３０ｂをクリックしたら、サーバ３（図１参照）は、図２３の（ｂ）に示す、睡眠中の満足度の３週間の推移を示すグラフを、利用者の端末装置１（図１参照）に表示する。さらに、「目標１の達成率」の「３週間の推移」を選択して、「表示」ボタン１３０ｂをクリックしたら、サーバ３（図１参照）は、図２３の（ｂ）に示す、目標１の達成率の３週間の推移を示すグラフを、利用者の端末装置１（図１参照）に表示する。
【００８７】
なお、図２２におけるグラフ選択画面１３０において、利用者が「中止」ボタン１３０ｃをクリックした場合は、サーバ３（図１参照）は、グラフ選択画面１３０を消して、図２０に示すマイデータ表示画面１２を利用者の端末装置１（図１参照）に表示すればよい。
【００８８】
図２０に戻って、マイデータ表示画面１２には、「商品購入履歴」ボタン１２０６が備わっていてもよい。利用者が「商品購入履歴」ボタン１２０６をクリックすると、サーバ３（図１参照）は、商品購入履歴確認画面を、利用者の端末装置１（図１参照）に表示する。図２４は、商品購入履歴確認画面の一例を示す図である。図２４に示すように、商品購入履歴確認画面７０は、利用者が購入した商品の一覧を示す画面である。商品購入履歴確認画面は、前記のように、マイスリープメニュー９（図１５参照）の「ショッピングリスト」に表示される商品名をマウスでクリックするとサーバ３（図１参照）が、当該商品を購入可能なホームページを開く構成のときに、利用者の購入履歴をサーバ３が管理し、その履歴を表示すればよい。
また、図２０に示すマイデータ表示画面１２は、システムの管理者などアクセス権限を有する操作者がアクセスできる構成としてもよい。このように構成することで、システムの管理者は、利用者が設定した行動項目を知ることができるとともに、設定した行動項目の実行状況やその結果（寝つきの満足度、睡眠中の満足度、体重の推移など）を知ることができる。そしてシステムの管理者は、知り得た結果に基づいてカルテなどの資料を作成し、利用者にアドバイスを与えることができる。
【００８９】
以上のように、本発明にかかる睡眠改善支援方法においては、実行可能性のある行動項目を利用者自身が選択し、利用者の自己管理のもとに実行することを特徴とする。すなわち、本発明にかかる生活習慣改善支援システムおよび生活習慣改善支援方法は、利用者の睡眠を改善するのに有効と思われる行動項目を提示し、その実行可能性のチェックや選択は利用者に委ねる。そして、設定された時刻に利用者に通知するのみで、実際の実行は利用者の自己管理に委ねている。
従前の技術は、利用者に対して睡眠習慣の改善方法を提示し、単にアドバイスを与えるのみであって、改善方法の実行可能性を利用者がチェックしたり、改善方法を選択する機能を有するものではない。したがって、利用者がすでに実行している内容や実行困難な内容が改善方法として提示される場合もある。特に、実行困難な内容が提示された場合は、利用者の実行意欲を喪失させ、提示された改善方法の実行を継続することが難しい場合が多い。
これに対して、本発明にかかる睡眠改善支援方法においては、行動項目の実行可能性のチェックや選択を利用者に委ねることから、利用者が実行しやすい行動項目のみを選択できることおよび、その実行を強制しないことが特徴であり、利用者は行動項目の実行を継続しやすいという、優れた効果を奏する。
【００９０】
また、本発明にかかる睡眠改善支援方法においては、利用者が継続して実行することが重要であるが、例えば利用者の継続期間に応じてサービスポイントを蓄積したり、利用頻度に応じて割引率を高めたりするなどして、利用者の継続意欲を高めるようにしてもよい。
【００９１】
なお、個人睡眠情報を入力する画面は、例えば図８に示す個人睡眠情報入力画面６よりも質問の個数を減らして簡略化された構成であってもよい。図２５は、簡略化された個人睡眠情報入力画面の一例を示す図であって、（ａ）は「睡眠の満足度」のみから構成される個人睡眠情報入力画面を示す図、（ｂ）は「睡眠の満足度」に加えて、「高めたい満足度」の項目を有する個人睡眠情報入力画面を示す図である。
【００９２】
そして利用者は、図２５の（ａ）に示される個人睡眠情報入力画面６ａ及び図２５の（ｂ）に示される個人睡眠情報入力画面６ｂの、プルダウンメニュー６０１ａやチェックボックス６０４ａをマウス等によって操作することで個人睡眠情報を入力する。サーバ３（図１参照）は、図９に示すステップＳ６０１からステップＳ６０６のステップによって、個人睡眠情報を入力する。
【００９３】
さらに、「睡眠の満足度」に加えて、図２５の（ｂ）に示すように「高めたい睡眠の満足度」を含む構成であってもよい。図２５の（ｂ）に示すように、個人睡眠情報入力画面６ａは、「睡眠の満足度」６０１に加えて、「高めたい睡眠の満足度」６０４を設定できる。
「高めたい睡眠の満足度」６０４は、例えば「寝つき」、「睡眠中」、「目覚めの気分」、「日中のスッキリ度」の各項目の中から、利用者が満足度を高めたいと思う項目を、チェックボックス６０４ａなどによって、１つ又は２つ以上選択する。
また、図示はしないが、年代別（例えば、小学生、中学生、高校生、大学生、社会人、熟年者）や勤務形態別（例えば、日勤、夜勤、準夜勤、交代勤務）などを選択する項目があってもよい。そしてサーバ３（図１参照）は、年代や勤務形態に対応した行動項目を選択するように構成してもよい。
【００９４】
このように、サーバ３（図１参照）に入力する個人睡眠情報入力画面を簡略化することで、例えば表示画面が小さい携帯端末１ｂ（図１参照）でも、快適に利用することが可能になる。
【００９５】
《変形例》
次に、本発明の変形例である、「滞在プログラム」による睡眠改善支援方法について説明する。前記した睡眠改善支援方法は、日常生活の行動を行動項目として選択し、日常生活において実行するものである。
これに対して、「滞在プログラム」は、例えばリゾート地など日常生活からかけ離れた環境に短期間滞在して、睡眠を改善する睡眠改善支援方法である。
【００９６】
「滞在プログラム」による睡眠改善支援方法についても、図１に示すシステム構成で実行することが可能である。
【００９７】
図２６は「滞在プログラム」を実行するための支援トップページの一例を示す図である。図２６に示すように、「滞在プログラム」を実行するための支援トップページには、例えば「快眠旅行を申し込む」ボタン１００４が備わる。そして、「快眠旅行を申し込む」ボタン１００４を、利用者がクリックするとサーバ３（図１参照）は、快眠旅行を申し込むための画面を開く。図２７は、快眠旅行を申し込む、申し込み画面の一例を示す図である。
【００９８】
図２７に示すように、申し込み画面１４は、「滞在プログラム」を実行する日時をプルダウンメニュー１４０１ａで入力する「日時」１４０１と、宿泊する施設をプルダウンメニュー１４０２ａで入力する「宿泊施設」１４０２と、参加人数（宿泊人数）をプルダウンメニュー１４０３ａで入力する「人数」１４０３の項目を有してなる。
さらに、申し込み画面１４には、入力した内容を修正するためにクリアする「修正」ボタン１４０４と、入力した内容で快眠旅行を申し込む「申し込み」ボタン１４０５とを備える。
【００９９】
「日時」１４０１は、利用者が「滞在プログラム」を実行する日時（年月日）を、プルダウンメニュー１４０１ａで選択する。
「宿泊施設」１４０２は、利用者が「滞在プログラム」を実行するための宿泊施設を、プルダウンメニュー１４０２ａで選択する。プルダウンメニュー１４０２ａには、例えば、本実施形態にかかる睡眠改善方法を実施するシステムの管理者と事前に契約を締結した宿泊施設の一覧が記載されていればよい。利用者は、プルダウンメニュー１４０２ａに記載されている宿泊施設から選択することができる。
「人数」１４０３は、選択した宿泊施設に宿泊する人数を、例えば大人、子供それぞれにプルダウンメニュー１４０３ａで設定する。
「修正」ボタン１４０４は、申し込み画面１４に記入した内容を全てクリアすることができるボタンである。
「申し込み」ボタン１４０５は、申し込み画面１４に記入した内容で「滞在プログラム」を申し込むボタンである。「申し込み」ボタン１４０５がクリックされると、サーバ３は、申し込み画面情報に入力されている情報に基づいて、選択された宿泊施設に申し込み者の個人情報（氏名、年齢、住所等）、滞在年月日および参加人数等の必要な情報を送信するなど、必要な処理を実行する。そして、「滞在プログラム」の申し込みが完了する
【０１００】
次に、サーバ３（図１参照）は、「滞在プログラム」で実行する滞在メニューを作成する画面（滞在プログラム作成画面）を表示する。図２８は、滞在プログラム作成画面の一例を示す図である。図２８に示すように、滞在プログラム作成画面１５は、あらかじめ選択してある滞在スタイル（利用者が滞在時に実行する行動の項目）をまとめた、滞在メニュー１５０１と、記入した内容を修正するための「修正」ボタン１５０２と、記入した内容でサーバ３に登録するための「登録」ボタン１５０３とを含んで構成される。なお、図２８に図示する滞在スタイルは、一例を示すものであってこの内容に限定されるものではない。また、図２８に図示する滞在メニュー１５０１は、３日の滞在期間を示しているが、滞在期間も３日に限定されるものではなく、図２７に示す申し込み画面１４で、利用者が設定した滞在期間に対応すればよい。
【０１０１】
滞在メニュー１５０１は、一日を例えば、朝、昼、夕方、夜の時間帯に分割して、それぞれの時間帯ごとに、滞在スタイルが設定されている。そして、利用者は、例えばチェックボックス１５０１ｂによって、滞在中に実行したい滞在スタイルを複数個選択することができる。
なお、滞在メニュー１５０１の「起床の予定」および「就寝の予定」は、例えばプルダウンメニュー１５０１ａによって、起床する時刻および就寝する時刻を設定する。
また、「光が差し込む場所（明るい場所）で朝食をとる」などのように利用者が必ず実行する滞在スタイルや、２日目以降の「チェックイン」などのように実行できない滞在スタイルには、プルダウンメニュー１５０１ａおよびチェックボックス１５０１ｂが配置されず、例えば図２８に示すように「−」が表示され、利用者は該当する項目を選択できない構成とする。
【０１０２】
利用者は、端末装置１（図１参照）に備わるマウス等の操作によって、プルダウンメニュー１５０１ａで起床時刻や就寝時刻を設定、チェックボックス１５０ｂで滞在スタイルを選択して、選択された滞在スタイルで構成される「滞在プログラム」を作成する。
そして、「滞在プログラム」の作成が終了した利用者が、「登録」ボタン１５０３をクリックしたら、サーバ３（図１参照）は、滞在プログラム作成画面１５を記憶装置３０４（図２参照）に記憶することで、「滞在プログラム」を登録する。
また、利用者が「修正」ボタン１５０２をクリックしたら、サーバ３は滞在プログラム作成画面１５に入力された情報を全てクリアする。
【０１０３】
以上のように、「滞在プログラム」がサーバ３（図１参照）に登録されると、サーバ３は、登録された「滞在プログラム」に基づいて記録シートを作成して、利用者の端末装置１（図１参照）に表示する。図２９は、記録シートの一例を示す図である。図２９に示すように、記録シート１６は、「滞在プログラム」用に選択した滞在スタイルに基づいて構成される。
【０１０４】
記録シート１６は、利用者が滞在プログラム作成画面１５（図２８参照）で選択した滞在スタイルの実行状態を記録する、行動の記録１６ａと、睡眠の満足度や気分等を記録する睡眠状態の記録１６ｂとを含んで構成される。
【０１０５】
利用者は、「滞在プログラム」を実行するときには、記録シート１６を例えばプリントアウトして、行動の記録１６ａと睡眠の記録１６ｂとに必要事項を記入することで、「滞在プログラム」の実行状況と、その効果を記入することになる。
【０１０６】
そして、利用者は、例えば「滞在プログラム」の最終日に、宿泊先に滞在しているカウンセラーから、記録シート１６に記入された内容に基づいて、カウンセリングを受けることで、必要に応じてマイスリープメニュー９０１（図１５参照）の内容を登録したり変更したりするなど、アドバイスを受けることができる。
【０１０７】
このように、「滞在プログラム」による睡眠改善支援においては、日常生活で実行する行動項目とは別に、日常生活とはかけ離れた、例えばリゾート環境での滞在スタイルを設定し、利用者の気分転換を図ることができる。さらに、利用者自身が滞在スタイルも選択することで、抵抗なく滞在スタイルを実行できることから、効果的に睡眠の改善を支援することができるという、優れた効果を奏する。
【０１０８】
以上の説明は、本発明にかかる生活習慣改善支援方法を、睡眠の改善を支援する方法に適用した例を説明したが、例えば入力する個人情報を体重、体脂肪率、ＢＭＩなどとし、行動項目をダイエットに関する生活習慣の内容にすることで、本発明にかかる生活習慣改善支援方法をダイエットを支援する方法としても応用可能であるし、行動項目を食生活に関する内容にすることで、本発明にかかる生活習慣改善支援方法を食生活改善を支援する方法としても応用可能である。そのほか禁酒や禁煙を支援する方法にも応用可能である。
すなわち、本発明にかかる生活習慣改善支援方法は、行動項目の内容を変更することで、前記のようにダイエットの支援、食生活改善の支援、禁酒の支援および禁煙の支援など幅広い分野に応用可能であるという、優れた効果を奏する。
【図面の簡単な説明】
【０１０９】
【図１】本実施形態にかかる睡眠改善支援方法を実現するためのシステム例を示す図である。
【図２】サーバの構成を示すブロック図である。
【図３】生活改善行動一覧のテーブルデータの一例を示す図である。
【図４】睡眠環境改善行動一覧のテーブルデータの一例を示す図である。
【図５】心理的要因改善行動一覧のテーブルデータの一例を示す図である。
【図６】個人詳細情報入力画面の一例を示す図である。
【図７】個人詳細情報入力画面を利用した個人詳細情報入力のステップを示すフローチャートである。
【図８】個人睡眠情報を入力する個人睡眠情報入力画面を示す図である。
【図９】個人睡眠情報入力画面を利用した個人睡眠情報入力のステップを示すフローチャートである。
【図１０】チェック画面の一例を示す図である。
【図１１】テーブルデータの形式の一例を示す図である。
【図１２】チェック画面を利用して、行動項目を利用者の実行可能性ごとに分類するステップを示すフローチャートである。
【図１３】目標設定画面の一例を示す図である。
【図１４】目標設定画面を利用して行動項目から５つを選択するステップを示すフローチャートである。
【図１５】マイスリープメニュー確認画面の一例を示す図である。
【図１６】端末装置の構成を示す図である。
【図１７】支援トップページの一例を示す図である。
【図１８】マイスリープメニューが作成されるまでのステップを示すフローチャートである。
【図１９】マイデータ入力画面の一例を示す図である。
【図２０】マイデータ表示画面の一例を示す図である。
【図２１】マイデータのグラフである。
【図２２】グラフ選択画面の一例を示す図である。
【図２３】（ａ）は、１週間の睡眠時間の推移を示すグラフの例、（ｂ）は、睡眠中の満足度の３週間の推移を示すグラフの例、（ｃ）は、目標１の達成率の３週間の推移を示すグラフの例である。
【図２４】商品購入履歴確認画面の一例を示す図である。
【図２５】（ａ）は「睡眠の満足度」のみから構成される個人睡眠情報入力画面を示す図、（ｂ）は「睡眠の満足度」に加えて、「高めたい満足度」の項目を有する個人睡眠情報入力画面を示す図である。
【図２６】「滞在プログラム」を実行するための支援トップページの一例を示す図である。
【図２７】快眠旅行を申し込む、申し込み画面の一例を示す図である。
【図２８】滞在プログラム作成画面の一例を示す図である。
【図２９】記録シートの一例を示す図である。
【符号の説明】
【０１１０】
１      端末装置
１ａ    固定端末
１ｂ    携帯端末
３      サーバ（選択手段、電子メール送信手段、メニュー作成手段、メールアドレス登録手段、時刻登録手段）
３０４  記憶装置
３０４ａ  生活改善行動一覧
３０４ｂ  睡眠環境改善行動一覧
３０４ｃ  心理的要因改善行動一覧
４      インターネット
５      個人詳細情報入力画面
６、６ａ、６ｂ  個人睡眠情報入力画面
９      マイスリープメニュー確認画面
９０１  マイスリープメニュー（生活習慣改善支援メニュー）
１１    マイデータ入力画面
【図１】
2008310410.tif 000003
【図２】
2008310410.tif 000004
【図３】
2008310410.tif 000005
【図４】
2008310410.tif 000006
【図５】
2008310410.tif 000007
【図６】
2008310410.tif 000008
【図７】
2008310410.tif 000009
【図８】
2008310410.tif 000010
【図９】
2008310410.tif 000011
【図１０】
2008310410.tif 000012
【図１１】
2008310410.tif 000013
【図１２】
2008310410.tif 000014
【図１３】
2008310410.tif 000015
【図１４】
2008310410.tif 000016
【図１５】
2008310410.tif 000017
【図１６】
2008310410.tif 000018
【図１７】
2008310410.tif 000019
【図１８】
2008310410.tif 000020
【図１９】
2008310410.tif 000021
【図２０】
2008310410.tif 000022
【図２１】
2008310410.tif 000023
【図２２】
2008310410.tif 000024
【図２３】
2008310410.tif 000025
【図２４】
2008310410.tif 000026
【図２５】
2008310410.tif 000027
【図２６】
2008310410.tif 000028
【図２７】
2008310410.tif 000029
【図２８】
2008310410.tif 000030
【図２９】
2008310410.tif 000031